(57)【要約】【課題】操作入力部からの操作情報を使用してオペレーションメタデータを生成して記録する。また、オペレーションメタデータに応じた再生態様でもってコンテンツを再生する。【解決手段】操作入力部の一例であるリモートコントロール装置２５からの操作情報が受光部１８において受光され、操作情報に応じて制御信号Ｓ１をシステムコントローラ１９が生成する。制御信号Ｓ１がオペレーションメタデータ生成部２１に対して供給され、オペレーションメタデータ生成部２１においてオペレーションメタデータが生成される。生成されたオペレーションメタデータが記録処理部２２によって記録媒体２３に記録される。再生処理部２４によってオペレーションメタデータが再生される。オペレーションメタデータに応じた再生態様でもって、コンテンツ提供部１１から提供されるコンテンツが再生制御部１２によって再生される。【選択図】図１
2007280486.tif 000002
【特許請求の範囲】
【請求項１】
コンテンツを提供するコンテンツ提供部と、
上記コンテンツ提供部の動作を制御するための操作入力部と、
上記操作入力部からの操作情報を使用してオペレーションメタデータを生成するオペレーションメタデータ生成部と、
上記生成されるオペレーションメタデータを上記コンテンツと関連付けて記録媒体に記録する記録処理部と
を備える記録装置。
【請求項２】
上記オペレーションメタデータ生成部は、単一のコンテンツに関する操作情報を使用して上記オペレーションメタデータを生成する請求項１に記載の記録装置。
【請求項３】
上記オペレーションメタデータ生成部は、複数のコンテンツに関する操作情報を使用して上記オペレーションメタデータを生成する請求項１に記載の記録装置。
【請求項４】
さらに、上記コンテンツの再生時における上記利用者の生体情報を測定する生体情報測定部および上記コンテンツの再生時における利用者の周囲の環境を測定する環境測定部の少なくとも一方と、
上記生体情報測定部および上記環境測定部の少なくとも一方によって検出される情報を使用してセンシングメタデータを生成するセンシングメタデータ生成部と
を備える請求項１に記載の記録装置。
【請求項５】
コンテンツ提供部によって提供されたコンテンツを再生する再生装置であって、
上記コンテンツ提供部を制御するための操作入力部からの操作情報を使用して生成されたオペレーションメタデータが記録された記録媒体を再生する再生処理部と、
上記オペレーションメタデータに応じた再生態様でもってコンテンツを再生する再生制御部と
を備える再生装置。
【請求項６】
上記オペレーションメタデータは、単一のコンテンツに関する操作情報を使用して生成されたオペレーションメタデータである請求項５に記載の再生装置。
【請求項７】
上記オペレーションメタデータは、複数のコンテンツに関する操作情報を使用して生成されたオペレーションメタデータである請求項５に記載の再生装置。
【請求項８】
さらに、上記記録媒体には、コンテンツの再生時における利用者の生体情報を測定する生体情報測定部および上記コンテンツの再生時における利用者の周囲の環境を測定する環境測定部の少なくとも一方によって検出された情報を使用して生成されたセンシングメタデータが記録される請求項５に記載の再生装置。
【請求項９】
コンテンツを提供するコンテンツ提供部と、
上記コンテンツ提供部の動作を制御するための操作入力部と、
上記操作入力部からの操作情報を使用してオペレーションメタデータを生成するオペレーションメタデータ生成部と、
上記生成されるオペレーションメタデータを上記コンテンツと関連付けて記録媒体に記録する記録処理部と、
上記オペレーションメタデータが記録された記録媒体を再生する再生処理部と、
上記オペレーションメタデータに応じた再生態様でもってコンテンツを再生する再生制御部と
を備える記録再生装置。
【請求項１０】
上記オペレーションメタデータ生成部は、単一のコンテンツに関する操作情報を使用して上記オペレーションメタデータを生成する請求項９に記載の記録再生装置。
【請求項１１】
上記オペレーションメタデータ生成部は、複数のコンテンツに関する操作情報を使用して上記オペレーションメタデータを生成する請求項９に記載の記録再生装置。
【請求項１２】
さらに、上記コンテンツの再生時における上記利用者の生体情報を測定する生体情報測定部および上記コンテンツの再生時における利用者の周囲の環境を測定する環境測定部の少なくとも一方と、
上記生体情報測定部および上記環境測定部の少なくとも一方によって検出される情報を使用してセンシングメタデータを生成するセンシングメタデータ生成部と
を備える請求項９に記載の記録再生装置。
【請求項１３】
コンテンツ提供部によってコンテンツを提供するコンテンツ提供ステップと、
上記コンテンツ提供部の動作を制御するための操作入力部からの操作情報を使用してオペレーションメタデータを生成するオペレーションメタデータ生成ステップと、
上記オペレーションメタデータを上記コンテンツと関連付けて記録媒体に記録する記録ステップと
からなる記録方法。
【請求項１４】
上記オペレーションメタデータ生成ステップは、単一のコンテンツに関する操作情報を使用して上記オペレーションメタデータを生成するステップである請求項１３に記載の記録方法。
【請求項１５】
上記オペレーションメタデータ生成ステップは、複数のコンテンツに関する操作情報を使用して上記オペレーションメタデータを生成するステップである請求項１３に記載の記録方法。
【請求項１６】
さらに、上記コンテンツの再生時において測定された利用者の生体情報および上記コンテンツの再生時において測定された利用者の周囲の環境の少なくとも一方の情報を使用してセンシングメタデータを生成するセンシングメタデータ生成ステップを有する請求項１３に記載の記録方法。
【請求項１７】
コンテンツ提供部によって提供されたコンテンツを再生する再生方法であって、
上記コンテンツ提供部の動作を制御するための操作入力部からの操作情報を使用して生成されたオペレーションメタデータが記録された記録媒体を再生する記録媒体再生ステップと、
上記オペレーションメタデータに応じた再生態様でもってコンテンツを再生するコンテンツ再生ステップと
からなる再生方法。
【請求項１８】
上記オペレーションメタデータは、単一のコンテンツに関する操作情報を使用して生成されたオペレーションメタデータである請求項１７に記載の再生方法。
【請求項１９】
上記オペレーションメタデータは、複数のコンテンツに関する操作情報を使用して生成されたオペレーションメタデータである請求項１７に記載の再生方法。
【請求項２０】
さらに、上記記録媒体には、上記コンテンツの再生時において測定された利用者の生体情報および上記コンテンツの再生時において測定された利用者の周囲の環境の少なくとも一方を使用して生成されたセンシングメタデータが記録される請求項１７に記載の再生方法。
【請求項２１】
コンテンツ提供部によってコンテンツを提供するコンテンツ提供ステップと、
上記コンテンツ提供部の動作を制御するための操作入力部からの操作情報を使用してオペレーションメタデータを生成するオペレーションメタデータ生成ステップと、
上記オペレーションメタデータを上記コンテンツと関連付けて記録媒体に記録する記録ステップと、
上記オペレーションメタデータが記録された記録媒体を再生する記録媒体再生ステップと、
上記オペレーションメタデータに応じた再生態様でもってコンテンツを再生するコンテンツ再生ステップと
からなる記録再生方法。
【請求項２２】
上記オペレーションメタデータは、単一のコンテンツに関する操作情報を使用して生成されたオペレーションメタデータである請求項２１に記載の記録再生方法。
【請求項２３】
上記オペレーションメタデータは、複数のコンテンツに関する操作情報を使用して生成されたオペレーションメタデータである請求項２１に記載の記録再生方法。
【請求項２４】
さらに、上記コンテンツの再生時において測定された利用者の生体情報および上記コンテンツの再生時において測定された利用者の周囲の環境の少なくとも一方の情報を使用してセンシングメタデータを生成するセンシングメタデータ生成ステップを有する請求項２１に記載の記録再生方法。
【請求項２５】
コンテンツを提供するコンテンツ提供部の動作を制御するための操作入力部からの操作情報を使用して生成されたオペレーションメタデータが上記コンテンツと関連付けられて記録された記録媒体。
【請求項２６】
さらに、上記コンテンツの再生時において測定された利用者の生体情報および上記コンテンツの再生時において測定された利用者の周囲の環境の少なくとも一方の情報を使用して生成されたセンシングメタデータが記録された請求項２５に記載の記録媒体。
【発明の詳細な説明】
【技術分野】
【０００１】
この発明は、例えば、リモートコントロール装置からの操作情報を使用してオペレーションメタデータを生成し、生成したオペレーションメタデータを記録媒体に記録する記録装置および記録方法に関する。また、記録媒体に記録されているオペレーションメタデータに応じてコンテンツを再生する再生装置、記録再生装置、再生方法および記録再生方法に関する。さらには、オペレーションメタデータが記録された記録媒体に関する。
【背景技術】
【０００２】
映画、音楽、写真等のコンテンツが記録された記録媒体には、メタデータと称される付加的なデータがコンテンツと関連付けられて記録されることが多い。コンテンツが映画の場合は、メタデータとして映画の出演者、映画監督、製作年、あらすじ等が記録媒体に記録される。また、コンテンツが音楽コンテンツの場合は、メタデータとしてタイトル、ジャンル、演奏時間、演奏者等が記録される。これらのメタデータは、コンテンツと独立に再生することもできる。したがって、コンテンツの視聴者は、メタデータを利用することでコンテンツの内容の一面を容易に知ることができる。
【０００３】
ところで、光ディスクに複数の音楽コンテンツが記録されている場合、記録されている全ての音楽コンテンツを利用者が好きであるとは限らない。利用者は、自分の好きな音楽コンテンツを選択して優先的に再生するのが普通である。また、一つの音楽コンテンツを聴取する場合でも、自身の気に入ったフレーズがあるときには、再生位置を調節してそのフレーズを繰り返し聴取することもある。このようなとき、利用者は、リモートコントロール装置などの操作入力部を使用して、好みの音楽を再生したり、音楽コンテンツの再生位置を調節する。
【０００４】
また、光ディスクに映画や録画した番組が記録されている場合、利用者は、好みのシーンや、自身が感動したシーンに再生位置をあわせて映画や番組を再生することもある。このようなときも、利用者は、リモートコントロール装置などの操作入力部を使用して再生位置を調節する。
【０００５】
これらの映画や音楽などのコンテンツには一般的に物語性があり、ストーリ展開やシーンに応じて利用者の心理状態が変化する。すなわち、コンテンツのシーンに応じて視聴者は驚き、感動、安心、興奮等の異なる感情を抱くものである。こうした視聴者の感情の変化は、表情の変化、発汗、心拍数の変化、血圧の変化等として表れる。また、卒業式や結婚式などの特別な機会にコンテンツが再生された場合などは、コンテンツ再生時における周囲の環境がコンテンツと関連して利用者に記憶される場合もある。
【０００６】
下記特許文献１には、コンテンツを再生すると共に、再生されているコンテンツに対する視聴者の反応を測定して評価値を生成するコンテンツ再生装置等が記載されている。特許文献１に記載のコンテンツ再生装置等では、生成された評価値に応じて、所定のシーン以降の映像の明るさや音響レベルの変更がなされる。
【０００７】
【特許文献１】特開２００２−３４４９０４号公報
【発明の開示】
【発明が解決しようとする課題】
【０００８】
従来、コンテンツと関連付けられて記録されていたメタデータは、演奏者、出演者、あらすじのようなコンテンツの製作者側によって付加された情報であり、上述したような操作入力部からの操作情報やコンテンツ再生時における利用者の感情の変化、コンテンツ再生時における利用者の周囲の環境がメタデータとして記録されることはなかった。また、特許文献１に記載されているコンテンツ再生装置は、生成された評価値に応じて再生中のコンテンツの再生特性を変化させるものであり、操作入力部からの操作情報等をメタデータとして記録することについては記載されていない。
【０００９】
例えば、コンテンツに対する利用者の好みが反映される操作入力部からの操作情報をメタデータとして記録することができれば、記録したメタデータによって示される利用者の好みを反映したコンテンツの再生を行うことができる。
【００１０】
また、例えば、過去のコンテンツ再生時における利用者の心理状態や周囲の環境をメタデータとしてコンテンツと関連付けて記録することができれば、同一のコンテンツをメタデータに応じて再生することで、過去のコンテンツ再生時の心理状態や周囲の環境を再現できる。
【００１１】
したがって、この発明の目的は、例えば、操作入力部からの操作情報を使用してオペレーションメタデータを生成し、生成したオペレーションメタデータを記録媒体に記録する記録装置および記録方法を提供することである。
また、この発明の他の目的は、記録されたオペレーションメタデータに応じてコンテンツを再生する再生装置、再生方法、記録再生装置および記録再生方法を提供することである。
さらに、この発明は、操作入力部からの操作情報を使用して生成されたオペレーションメタデータが記録された記録媒体を提供することを目的とする。
【課題を解決するための手段】
【００１２】
上述した課題を解決するために、この発明は、コンテンツを提供するコンテンツ提供部と、
コンテンツ提供部の動作を制御するための操作入力部と、
操作入力部からの操作情報を使用してオペレーションメタデータを生成するオペレーションメタデータ生成部と、
生成されるオペレーションメタデータをコンテンツと関連付けて記録媒体に記録する記録処理部と
を備える記録装置である。
【００１３】
また、この発明は、コンテンツ提供部によって提供されたコンテンツを再生する再生装置であって、
コンテンツ提供部を制御するための操作入力部からの操作情報を使用して生成されたオペレーションメタデータが記録された記録媒体を再生する再生処理部と、
オペレーションメタデータに応じた再生態様でもってコンテンツを再生する再生制御部と
を備える再生装置である。
【００１４】
また、この発明は、コンテンツを提供するコンテンツ提供部と、
コンテンツ提供部の動作を制御するための操作入力部と、
操作入力部からの操作情報を使用してオペレーションメタデータを生成するオペレーションメタデータ生成部と、
生成されるオペレーションメタデータをコンテンツと関連付けて記録媒体に記録する記録処理部と、
オペレーションメタデータが記録された記録媒体を再生する再生処理部と、
オペレーションメタデータに応じた再生態様でもってコンテンツを再生する再生制御部と
を備える記録再生装置である。
【００１５】
また、この発明は、コンテンツ提供部によってコンテンツを提供するコンテンツ提供ステップと、
コンテンツ提供部の動作を制御するための操作入力部からの操作情報を使用してオペレーションメタデータを生成するオペレーションメタデータ生成ステップと、
オペレーションメタデータをコンテンツと関連付けて記録媒体に記録する記録ステップと
からなる記録方法である。
【００１６】
また、この発明は、コンテンツ提供部によって提供されたコンテンツを再生する再生方法であって、
コンテンツ提供部の動作を制御するための操作入力部からの操作情報を使用して生成されたオペレーションメタデータが記録された記録媒体を再生する記録媒体再生ステップと、
オペレーションメタデータに応じた再生態様でもってコンテンツを再生するコンテンツ再生ステップと
からなる再生方法である。
【００１７】
また、この発明は、コンテンツ提供部によってコンテンツを提供するコンテンツ提供ステップと、
コンテンツ提供部の動作を制御するための操作入力部からの操作情報を使用してオペレーションメタデータを生成するオペレーションメタデータ生成ステップと、
オペレーションメタデータをコンテンツと関連付けて記録媒体に記録する記録ステップと、
オペレーションメタデータが記録された記録媒体を再生する記録媒体再生ステップと、
オペレーションメタデータに応じた再生態様でもってコンテンツを再生するコンテンツ再生ステップと
からなる記録再生方法である。
【００１８】
また、この発明は、コンテンツを提供するコンテンツ提供部の動作を制御するための操作入力部からの操作情報を使用して生成されたオペレーションメタデータがコンテンツと関連付けられて記録された記録媒体である。
【発明の効果】
【００１９】
この発明によれば、操作入力部からの操作情報を使用してオペレーションメタデータを生成し、生成したオペレーションメタデータを記録媒体に記録することができる。記録されたオペレーションメタデータに応じてコンテンツを再生することで、利用者の嗜好を反映したコンテンツの再生を行うことができる。
【発明を実施するための最良の形態】
【００２０】
以下、図面を参照しながらこの発明の複数の実施の形態について説明する。なお、この明細書におけるコンテンツとは、映像情報および音声情報の少なくとも一方であり、また、各コンテンツは、識別子（以下、適宜、コンテンツＩＤ(Identifier)と称する）によって特定される。映像情報は、映像、写真等の静止画、グラフィックス、電子書籍およびそれらと共に表示される文字情報などの視覚上、認識できる情報の全てを含み、音声情報は、音楽、自然音、話声などの聴感上、認識できる情報の全てを含む。また、映像コンテンツを視聴する視聴者や音声コンテンツを聴取する聴取者等を総称して利用者と称する。
【００２１】
図１における参照符号１は、この発明の第１の実施の形態における記録再生装置の主要な構成を示す。記録再生装置１は、コンテンツ提供部１１、再生制御部１２、映像信号処理部１３、映像信号出力部１４、音声信号処理部１５、音声信号出力部１６、受光部１８、システムコントローラ１９、オペレーションデータ処理部２０、オペレーションメタデータ生成部２１、記録処理部２２、記録媒体２３、再生処理部２４を含む構成とされる。
【００２２】
また、参照符号２５は、操作入力部の一例であり、例えば、赤外線を使用して記録再生装置１の動作を遠隔操作するリモートコントロール装置を示す。リモートコントロール装置２５が利用者に操作されることで発生した操作信号が受光部１８において受光され、受光部１８において電気的な信号へと変換される。変換された信号が受光部１８からシステムコントローラ１９に対して供給され、システムコントローラ１９から操作信号に応じた制御信号が記録再生装置１の各部に送出される。なお、システムコントローラ１９から記録再生装置１の各部に対して送出される制御信号を制御信号Ｓ１と総称する。
【００２３】
また、リモートコントロール装置２５を使用してコンテンツの利用者を識別するための利用者ＩＤが入力可能とされ、入力された利用者ＩＤを記録再生装置１に対して送出できる。なお、この発明の実施の形態においては操作入力部の一例としてリモートコントロール装置２５を使用して説明するが、記録再生装置１の筐体に備えられるボタン、ダイヤル等でも良い。
【００２４】
記録再生装置１の各部について説明する。コンテンツ提供部１１は、例えば、ＣＤ−ＲＯＭ(Compact Disc-Read only Memory)やＤＶＤ−ＲＯＭ(Digital Versatile Disc-Read only Memory)等の光ディスクや半導体メモリ、磁気テープなどの記録媒体や記憶媒体である。コンテンツ提供部１１は、記録再生装置１と着脱自在とされる記録媒体や記憶媒体に限らず、記録再生装置１に内蔵されるＨＤＤ(Hard Disk Drive)でも良い。また、コンテンツ提供部１１は、地上アナログ／ディジタル放送やＢＳ（Broadcasting Satellite）ディジタル放送等のテレビジョン放送、インターネットを介してコンテンツを配信するコンテンツ配信サーバ等を含むものとされる。
【００２５】
また、コンテンツ提供部１１は、後述するように、利用者によって入力指示されたコンテンツＩＤに対応するコンテンツを再生制御部１２に対して供給する。
【００２６】
再生制御部１２は、通常再生時においてコンテンツ提供部１１から提供されるコンテンツを再生する処理を行う。再生制御部１２における再生処理は、コンテンツが提供される手段によって異なる。例えば、コンテンツが光ディスクに記録されている場合、再生制御部１２においては、光ピックアップによって信号が読み出され、読み出された信号に対して復調処理、エラー訂正処理が行われ、処理が行われた信号がバッファメモリに一旦書き込まれる。そして、バッファメモリに書き込まれた信号にデマルチプレクス処理が行われ、多重化されていた映像信号、音声信号等が分離される。分離された映像信号が映像信号処理部１３に対して供給され、音声信号が音声信号処理部１５に対して供給される。
【００２７】
光ディスクに文字信号が記録されている場合は、デマルチプレクス処理によって分離された文字信号が図示しない文字信号処理部に供給される。文字信号処理部において復号処理等が行われた文字信号が必要に応じて映像信号と重畳されて、利用者に対して提示される。
【００２８】
また、例えば、ＢＳディジタル放送によってコンテンツが提供される場合は、再生制御部１２においては、受信電波から目的の搬送波を選択する処理、復調処理、誤り訂正処理、デスクランブル処理、デマルチプレクス処理、パケット選択処理等が行われ、目的とする映像ＰＥＳ(Packetized Elementary Stream)および音声ＰＥＳが抽出される。そして、選択された映像ＰＥＳは映像信号処理部１３に供給され、音声ＰＥＳは音声信号処理部１５に供給される。このように、再生制御部１２においては、コンテンツ提供部１１に応じて適切な処理が行われる。再生制御部１２において行われる処理を切り換えることも可能である。
【００２９】
再生制御部１２に対しては、再生処理部２４からオペレーションメタデータが供給される。再生制御部１２は、通常再生以外に、コンテンツ提供部１１から供給されるコンテンツを、再生処理部２４から供給されるオペレーションメタデータに応じた再生態様でもって再生する処理を行う。なお、オペレーションメタデータについては後述する。
【００３０】
また、再生制御部１２に対しては、システムコントローラ１９から制御信号Ｓ１が供給される。制御信号Ｓ１に応じて再生制御部１２がコンテンツ提供部１１を制御して、コンテンツ提供部１１から提供されるコンテンツの再生、巻戻し、早送り、一時停止等の処理を行う。また、制御信号Ｓ１に応じて利用者によって選択されたコンテンツを取得したり、所定のシーンを表示させるようにコンテンツ提供部１１を再生制御部１２が制御する。
【００３１】
映像信号処理部１３は、供給される映像信号を復号する処理等を行う。映像信号処理部１３に供給される映像信号は、例えば、ＭＰＥＧ（Moving Picture Coding Experts Group）２方式によって圧縮符号化されている。したがって、映像信号処理部１３では、圧縮符号化されている映像信号を復号する処理が行われる。さらに映像信号処理部１３では、復号されたディジタル映像信号を必要に応じてアナログ映像信号へと変換するＤ／Ａ(Digital to Analog)変換処理が行われる。アナログ信号へと変換された映像信号が映像信号出力部１４に供給される。
【００３２】
映像信号出力部１４は、ＣＲＴ(Cathode Ray Tube)やＬＣＤ（Liquid Crystal Display）、有機ＥＬ(Electro Luminescence)等のモニタである。映像信号出力部１４には、映像信号処理部１３から供給された映像信号が再生される。
【００３３】
音声信号処理部１５は、供給される音声信号を復号する処理等を行う。音声信号処理部１５に供給される音声信号は、例えば、ＭＰ３(MPEG1-Audio Layer-III)方式やＭＰＥＧ２ＡＡＣ(Advanced Audio Coding)方式等によって圧縮符号化されている。したがって、音声信号処理部１５では、圧縮符号化されている音声信号を復号する処理が行われる。音声信号処理部１５ではさらに、復号されたディジタル音声信号を必要に応じてアナログ信号信号へと変換するＤ／Ａ(Digital to Analog)変換処理が行われる。アナログ信号へと変換された音声信号が音声信号出力部１６に供給される。
【００３４】
音声信号出力部１６は、スピーカ、ヘッドフォン等である。音声信号出力部１５から供給された音声信号が音声信号出力部１６から再生される。
【００３５】
映像信号処理部１３や音声信号処理部１５において映像信号、音声信号は、例えば、光ディスクにコンテンツと共に記録されていたり、放送波にＰＥＳ化されて重畳されているＤＴＳ(Decoding Time Stamp)のようなタイミング情報に基づいて復号される。また、映像信号および音声信号は、例えば、光ディスクにコンテンツと共に記録されていたり、放送波にＰＥＳ化されて重畳されているＰＴＳ(Presentation Time Stamp)のようなタイミング情報によって利用者に提示されることで、映像と音声との同期を取ることができる。
【００３６】
なお、映像信号出力部１４および音声信号出力部１６の少なくとも一方が記録再生装置１と別体とされても良い。例えば、記録再生装置１と離れて設置された映像信号出力部１４に対して無線を利用して映像信号が送信され、映像信号出力部１４から映像信号が再生されるようにしても良い。
【００３７】
受光部１８は、リモートコントロール装置２５が利用者によって操作されることで生成された操作情報に関する操作信号を受信する。受光部１８において受信された操作信号が電気的な信号へと変換される。変換された信号がシステムコントローラ１９に対して供給される。システムコントローラ１９からは操作信号に応じた制御信号Ｓ１が生成され、生成された制御信号Ｓ１が記録再生装置１の各部に対して送出されると共に、オペレーションデータ処理部２０に対して供給される。オペレーションデータ処理部２０において、制御信号Ｓ１を増幅する等の適切な処理が行われ、処理が行われた制御信号Ｓ１がオペレーションメタデータ生成部２１に対して供給される。
【００３８】
オペレーションメタデータ生成部２１は、リモートコントロール装置２５からの操作情報を使用してオペレーションメタデータを生成する。例えば、リモートコントロール装置２５からの「あるコンテンツをスキップする操作がされた」、「巻き戻し処理が行われあるコンテンツのある部分を再度、再生するための操作が行われた」などの操作情報を使用して、利用者のコンテンツに対する好みなどの情報を判別し、判別した情報をオペレーションメタデータとしてオペレーションメタデータ生成部２１が生成する。オペレーションメタデータは、例えば、ＸＭＬ(eXtensible Markup Language)フォーマットで記述される。
【００３９】
また、オペレーションメタデータ生成部２１に対しては、再生制御部１２から通常再生されるコンテンツを識別するためのコンテンツＩＤが供給される。オペレーションメタデータ生成部２１から記録処理部２２に対して、オペレーションメタデータ、コンテンツＩＤ、利用者ＩＤが供給される。
【００４０】
記録処理部２２は、供給されるオペレーションメタデータ、利用者ＩＤおよびコンテンツＩＤを記録媒体２３に適するフォーマットへと変換し、変換したオペレーションメタデータ等をコンテンツと関連付けて記録媒体２３に記録する処理を行う。記録処理部２２においては、記録媒体２３に応じた記録処理が行われる。ここで、記録媒体２３は、例えば、ＣＤ−Ｒ(Recordable)、ＣＤ−ＲＷ(Rewritable)、ＤＶＤ−Ｒ、ＤＶＤ−ＲＷ等の追記可能または書き換え可能な光ディスクや磁気テープである。また、半導体メモリや記録再生装置１に内蔵されるＨＤＤなどの記憶媒体でも良い。
【００４１】
再生処理部２４は、記録媒体２３に記録されているオペレーションメタデータを再生する処理を行う。例えば、利用者によって入力された利用者ＩＤおよびコンテンツＩＤによって特定されるオペレーションメタデータを記録媒体２３から再生する処理を再生処理部２４が行う。再生処理部２４においては、記録媒体２３に応じて適切な再生処理が行われる。再生処理部２４における再生処理によって記録媒体２３からオペレーションメタデータが再生され、再生されたオペレーションメタデータが再生制御部１２に対して供給される。
【００４２】
次に、この発明の実施の形態におけるリモートコントロール装置２５について説明する。図２は、この発明の実施の形態におけるリモートコントロール装置２５の構成を示す。リモートコントロール装置２５は、電源をオン／オフする電源ボタン４１を備える。また、コンテンツ提供部１１から供給されるコンテンツを切り替えるボタンが配設される。例えば、ＨＤＤボタン４２、ＣＤボタン４３が備えられる。勿論、放送波を受信するためのボタン、ＤＶＤを視聴するためのボタンなどが配設されても良い。参照符号４４に示すボタンは数字を入力したり、放送チャネルを選択するためのボタンである。このボタン４４を使用して利用者ＩＤを入力することもできる。
【００４３】
また、参照符号４５は、再生するコンテンツの音量を変化させるボタンである。リストボタン４６は、例えば、複数の音楽コンテンツが共通の特徴によって区分けされた複数のプレイリストを表示させるボタンである。また、登録ボタン４７は、コンテンツをあるプレイリストに登録するためのボタンである。
【００４４】
参照符号４８は、左右上下の方向指示キーおよび決定ボタンである。例えば、ＣＤに記録された複数の音楽コンテンツが表示され、方向指示キーを使用してカーソルを移動させて所望のコンテンツを選択し、決定ボタンを使用して音楽コンテンツを選択する。
【００４５】
さらに、リモートコントロール装置２５には、コンテンツを再生するための再生ボタン４９、次のコンテンツを再生するボタン５０、前のコンテンツを再生するボタン５１、再生や各種動作を停止させる停止ボタン５２、一時停止ボタン５３、再生中のコンテンツを早送りする早送りボタン５４、再生中のコンテンツを巻き戻しする巻き戻しボタン５５が備えられる。
【００４６】
なお、図２に示したリモートコントロール装置２５は一例であり、例えば、ダイヤル状、レバー状、スティック状の形状をした操作手段が備えられる装置でも良い。また、利用者がリモートコントロール装置を振ることで、記録再生装置１に対して所定の指示がなされるようにしても良い。
【００４７】
次に、オペレーションメタデータを記録する具体例を説明する。例えば、コンテンツ提供部１１は複数の音楽コンテンツが記録されたＣＤとし、複数の音楽コンテンツのうち、単一の音楽コンテンツに関する操作情報を使用してオペレーションメタデータを生成する例について説明する。オペレーションメタデータは、各音楽コンテンツに対する利用者の好みを示すデータとし、好みの度合いは０を基準として数値化される。また、リモートコントロール装置２５からは音楽コンテンツの利用者の利用者ＩＤが記録再生装置１に対して送信されるものとする。
【００４８】
始めに、利用者によってリモートコントロール装置２５におけるＣＤボタン４３が押され、再生ボタン４９が押されることでコンテンツ提供部１１から音楽コンテンツ（以下、音楽コンテンツＡとする）が再生制御部１２に提供される。再生制御部１２において通常再生処理が行われ、音楽コンテンツＡが再生される。このとき、再生制御部１２からオペレーションメタデータ生成部２１に対して音楽コンテンツＡを特定するコンテンツＩＤが供給される。
【００４９】
音楽コンテンツＡの再生中に、利用者によって、例えば、リモートコントロール装置２５におけるボタン５０が押されたとする。リモートコントロール装置２５からの操作情報は、受光部１８を介してシステムコントローラ１９に対して供給される。システムコントローラ１９において、ボタン５０が押されたという操作情報に伴う制御信号Ｓ１が生成され、生成された制御信号Ｓ１が再生制御部１２に対して供給される。そして、再生制御部１２がコンテンツ提供部１１を制御して音楽コンテンツＡの次の音楽コンテンツ（以下、音楽コンテンツＢとする）を取得し、音楽コンテンツＢを再生する。
【００５０】
システムコントローラ１９において生成された制御信号Ｓ１は、オペレーションデータ処理部２０を介してオペレーションメタデータ生成部２１に対して供給される。オペレーションメタデータ生成部２１は、ボタン５０が押され、再生中の音楽コンテンツＡが音楽コンテンツＢに切り換わったことから、利用者は音楽コンテンツＡをそれほど好んでいないと判別し、音楽コンテンツＡに対する利用者の好みの度合いが−１されたオペレーションメタデータを生成する。そして、生成されたオペレーションメタデータがコンテンツＩＤ、利用者ＩＤと共にオペレーションメタデータ生成部２１から記録処理部２２に対して供給される。
【００５１】
記録処理部２２は、供給されたオペレーションメタデータ、コンテンツＩＤ、利用者ＩＤを記録媒体２３に適合するフォーマットへと変換して、変換したオペレーションメタデータ、コンテンツＩＤ、利用者ＩＤを記録媒体２３に記録する処理を行う。このようにして、リモートコントロール装置２５からの操作情報を使用して、音楽コンテンツＡに対する好みの度合いを示すオペレーションメタデータが生成され、生成されたオペレーションメタデータが記録媒体２３に記録される。
【００５２】
反対に、音楽コンテンツＡの再生中に、利用者によって、例えば、リモートコントロール装置２５におけるボタン５１が押された場合は、利用者はもう一度繰り返して音楽コンテンツＡを聴きたいということであるから、オペレーションメタデータ生成部２１は、音楽コンテンツＡに対する好みの度合いを＋１してオペレーションメタデータを生成する。
【００５３】
次に、オペレーションメタデータの他の例について説明する。この他の例におけるオペレーションメタデータは、単一の音楽コンテンツの一部分に関して生成され、利用者の好む音楽コンテンツの再生区間を示すオペレーションメタデータの例である。
【００５４】
音楽コンテンツＡの再生中に、利用者によって、例えば、リモートコントロール装置２５における巻戻しボタン５５が押され、その後に停止ボタン５２が押され、巻戻された位置から音楽コンテンツが再生されたとする。リモートコントロール装置２５からの操作情報は、受光部１８を介してシステムコントローラ１９に対して供給される。システムコントローラ１９において巻戻しボタン５１が押され、停止ボタン５２が押されたという操作情報に伴う制御信号Ｓ１が生成され、制御信号Ｓ１が再生制御部１２に対して供給される。そして、再生制御部１２がコンテンツ提供部１１を制御して巻戻しボタン５５が押されてから停止ボタン５２が押された位置まで音楽コンテンツＡの再生開始位置を合せて、合せた再生位置から音楽コンテンツＡを再生制御部１２が再生する。
【００５５】
また、制御信号Ｓ１がオペレーションデータ処理部２０を介してオペレーションメタデータ生成部２１に対して供給される。オペレーションメタデータ生成部２１は、例えば、以下のようにして操作情報を使用してオペレーションメタデータを生成する。
【００５６】
オペレーションメタデータ生成部２１は、巻戻しボタン５５が押されたときの音楽コンテンツＡの再生位置情報を取得する。再生位置情報は、例えば、再生制御部１２から供給される。そして、取得された再生位置情報が巻戻しボタン５５が押された開始ポイントとして登録される。次に、オペレーションメタデータ生成部２１は、停止ボタン５２が押されたときの音楽コンテンツＡの再生位置情報を取得する。そして、取得された再生位置情報が停止ボタン５２が押された終了ポイントとして登録される。この開始ポイントと終了ポイントによって規定される音楽コンテンツＡの再生区間が音楽コンテンツＡの中でも利用者が特に気に入った部分とされる。
【００５７】
オペレーションメタデータ生成部２１において、開始ポイントおよび終了ポイントに対応する再生位置情報とその区間を利用者が好むことを示す情報に関するオペレーションメタデータが生成され、オペレーションメタデータがコンテンツＩＤ、利用者ＩＤと共に記録処理部２２に対して供給される。そして、記録処理部２２によって、オペレーションメタデータ、コンテンツＩＤ、利用者ＩＤが記録媒体２３に記録される。
【００５８】
次に、複数の音楽コンテンツに関する操作情報を使用して生成されるオペレーションメタデータの例について説明する。例えば、リモートコントロール装置２５のＨＤＤボタンが押され、さらにリストボタン４６が押されて、コンテンツ提供部１１の一例であるＨＤＤに記憶されている複数のプレイリストが映像信号出力部１４に表示される。利用者は、表示された複数のプレイリストの中から特定のプレイリストを方向指示キーおよび決定ボタン４８を使用して選択し、決定する。利用者によるリモートコントロール装置２５の一連の操作は、受光部１８を介してシステムコントローラ１９に対して供給される。そして、システムコントローラ１９において制御信号Ｓ１が生成され、生成された制御信号Ｓ１が再生制御部１２に対して供給される。再生制御部１２は、制御信号Ｓ１に応じて選択されたプレイリストに対応する複数の音楽コンテンツを通常再生する。このとき、選択されたプレイリストに対応する複数の音楽コンテンツのコンテンツＩＤが再生制御部１２からオペレーションメタデータ生成部２１に対して供給される。
【００５９】
また、制御信号Ｓ１がオペレーションデータ処理部２０を介してオペレーションメタデータ生成部２１に対して供給される。オペレーションメタデータ生成部２１は、選択されたプレイリストに対応する音楽コンテンツを利用者が好きな音楽コンテンツと判別し、プレイリストに対応する複数の音楽コンテンツの好みの度合いを全て＋１してオペレーションメタデータを生成する。生成されたオペレーションメタデータが複数の音楽コンテンツを特定する各コンテンツＩＤ、利用者ＩＤと共に記録処理部２２に供給される。供給されたオペレーションメタデータ、コンテンツＩＤ、利用者ＩＤが記録処理部２２によって記録媒体２３に記録される。このように、プレイリストを選択して再生する操作のように、複数のコンテンツに関する操作情報を使用してオペレーションメタデータを生成し、生成したオペレーションメタデータを記録媒体２３に記録することができる。
【００６０】
図３は、この発明の一実施の形態におけるオペレーションメタデータを記録する処理の流れを示すフローチャートである。
【００６１】
ステップＳ１においては、コンテンツを再生する処理が行われる。リモートコントロール装置２５が使用された場合は、操作信号が受光部１８を介してシステムコントローラ１９に対して供給される。システムコントローラ１９において操作信号に応じた制御信号Ｓ１が生成され、生成された制御信号Ｓ１が再生制御部１２に対して供給される。再生制御部１２は、制御信号Ｓ１に応じてコンテンツ提供部１１から所定のコンテンツを取得するようにコンテンツ提供部１１を制御する。そして、コンテンツ提供部１１から提供されたコンテンツを再生制御部１２が通常再生する。次に、処理がステップＳ２に進む。
【００６２】
ステップＳ２においては、利用者によってリモートコントロール装置２５の操作がなされる。リモートコントロール装置２５からの操作情報は受光部１８を介してシステムコントローラ１９に対して供給される。システムコントローラ１９において操作情報に応じた制御信号Ｓ１が生成される。生成された制御信号Ｓ１がオペレーションデータ処理部２０を介してオペレーションメタデータ生成部２１に対して供給される。次に、処理がステップＳ３に進む。
【００６３】
ステップＳ３においては、オペレーションメタデータが生成される処理が行われる。すなわち、オペレーションメタデータ生成部２１において、リモートコントロール装置２５からの操作情報である制御信号Ｓ１を使用してオペレーションメタデータが生成される。生成されたオペレーションメタデータがコンテンツＩＤ、利用者ＩＤと共に記録処理部２２供給される。次に処理がステップＳ４に進む。
【００６４】
ステップＳ４においては、オペレーションメタデータを記録する記録処理が行われる。記録処理部２２は、オペレーションメタデータ生成部２１から供給されたオペレーションメタデータ、コンテンツＩＤ、利用者ＩＤを記録媒体２３に適したフォーマットへと変換する。変換したオペレーションメタデータ、コンテンツＩＤ、利用者ＩＤを記録処理部２２が記録媒体２３に記録する。
【００６５】
なお、上述した処理の流れにおいては、コンテンツが再生されるときになされたリモートコントロール装置の操作情報からオペレーションメタデータを生成するものとしたが、コンテンツを選択する際のリモートコントロール装置２５からの操作情報等を使用してオペレーションメタデータを生成することもでき、必ずしもコンテンツが再生されていなくても良い。
【００６６】
次に、オペレーションメタデータに応じてコンテンツを再生する処理の一例について説明する。記録再生装置１における再生制御部１２は、コンテンツを通常再生する以外に、オペレーションメタデータに応じてコンテンツを再生することができる。
【００６７】
図４は、オペレーションメタデータに応じてコンテンツを再生する処理の流れを示すフローチャートである。ステップＳ１１においては、オペレーションメタデータ取得処理が行われる。例えば、利用者によってリモートコントロール装置２５が使用され、コンテンツをオペレーションメタデータに応じて再生する処理が選択され、コンテンツＩＤおよび利用者ＩＤが入力される。リモートコントロール装置２５における操作情報が受光部１８を介してシステムコントローラ１９に対して供給され、システムコントローラ１９から再生制御部１２および再生処理部２４に対して制御信号Ｓ１が送出される。
【００６８】
再生処理部２４は、システムコントローラ１９から送出される制御信号Ｓ１に応じて、記録媒体２３に記録されているオペレーションメタデータを再生する。ここで、リモートコントロール装置２５を使用してコンテンツＩＤおよび利用者ＩＤが入力されることで、再生するオペレーションメタデータを特定することができる。記録媒体２３に応じた再生処理が再生処理部２４において行われ、再生されたオペレーションメタデータが再生制御部１２に対して供給される。次に、処理がステップＳ１２に進む。
【００６９】
ステップＳ１２においては、コンテンツを取得する処理が行われる。再生制御部１２は、供給される制御信号Ｓ１に応じてコンテンツ提供部１１を制御して、コンテンツＩＤに対応するコンテンツを取得する。例えば、コンテンツ提供部１１が光ディスクの場合は、光ピックアップを移動させて、コンテンツＩＤに対応するコンテンツを取得する処理を再生制御部１２が行う。ここで、コンテンツＩＤによって特定されるコンテンツをコンテンツ提供部１１が提供できない場合は、例えば、映像信号出力部１４にエラーメッセージが表示されたり、音声信号出力部１６から警告音が放音される。次に、処理がステップＳ１３に進む。
【００７０】
ステップＳ１３においては、コンテンツ再生処理が行われる。ステップＳ１３における再生処理においては、再生制御部１２がオペレーションメタデータに応じた再生態様でもってコンテンツを再生する。例えば、コンテンツ提供部１１がＣＤであり、複数の音楽コンテンツが記録されている場合では、オペレーションメタデータによって示される各音楽コンテンツの好みの度合いの高い順にコンテンツの再生順序を変更して再生する。また、オペレーションメタデータによって示される繰り返し再生された音楽コンテンツの再生区間の音量や周波数特性を変更し、その区間における音楽コンテンツを強調して再生しても良い。また、コンテンツが映像コンテンツの場合でも、繰り返し再生されたシーンをダイジェスト再生したり、繰り返し再生されたシーンの輝度、彩度、色合いを変化させてそのシーンを強調して再生することもできる。このように、オペレーションメタデータに応じた再生態様でもってコンテンツを再生することで、利用者の好みを反映してコンテンツを再生できる。
【００７１】
なお、図３および図４を使用して説明した処理は、オペレーションメタデータを記録し、記録したオペレーションメタデータに応じた再生態様でもってコンテンツを再生する記録再生方法として構成することも可能である。
【００７２】
次に、この発明の第２の実施の形態について説明する。図５における参照符号６１は、第２の実施の形態における記録再生装置の主要な構成を示す。記録再生装置６１において、第１の実施の形態において説明した記録再生装置１と同様の構成とされる箇所については、適宜、同じ番号を付与し、重複した説明を省略する。
【００７３】
記録再生装置６１は記録再生装置１と同様に、コンテンツ提供部１１、再生制御部１２、映像信号処理部１３、映像信号出力部１４、音声信号処理部１５、音声信号出力部１６、受光部１８、システムコントローラ１９、オペレーションデータ処理部２０、オペレーションメタデータ生成部２１、記録処理部２２、記録媒体２３、再生処理部２４を含む構成とされ、リモートコントロール装置２５からの操作情報を使用してオペレーションメタデータを生成することができる。そして、生成したオペレーションメタデータを記録媒体２３に記録することができる。また、記録媒体２３に記録されたオペレーションメタデータを再生処理部２４が再生し、オペレーションメタデータに応じた再生態様でもって再生制御部１２がコンテンツを再生することができる。
【００７４】
記録再生装置６１は、さらに人体センシングデータ処理部２６、環境センシングデータ処理部２７、センシングメタデータ生成部２８、パターン蓄積部２９を含む構成とされる。また、生体情報測定部の一例である生体センサ３０および環境測定部の一例である環境センサ３１の少なくとも一方を備える。
【００７５】
人体センシングデータ処理部２６は、人体センサ３０によって検出される情報（以下、適宜、人体センシングデータと称する）を電気的な信号へと変換し、変換した人体センシングデータを記録する。ここで、人体センシングデータは、心電図、呼吸数、呼吸周期、筋電図、脳血流量、脳波、発汗量、皮膚温度、瞳孔径、開眼度、手足の温度、体表温、表情の変化、瞬きの変化などの生体情報である。各人体センシングデータは、利用者毎の利用者ＩＤによって特定される。人体センシングデータ処理部２６において記録された人体センシングデータがセンシングメタデータ生成部２８に対して供給される。
【００７６】
環境センシングデータ処理部２７は、環境センサ３１によって検出される情報（以下、適宜、環境センシングデータと称する）を電気的な信号へ変換し、変換した環境センシングデータを記録する。ここで、環境センシングデータは、温度、湿度、風量、気圧、天候および場所等の少なくとも一つとされる。また、各環境センシングデータは、利用者毎の利用者ＩＤによって特定される。環境センシングデータ処理部２７において記録された環境センシングデータは、センシングメタデータ生成部２８に対して供給される。
【００７７】
センシングメタデータ生成部２８は、供給される人体センシングデータおよび環境センシングデータの少なくとも一方を使用してセンシングメタデータを生成する。例えば、供給される人体センシングデータを使用してコンテンツ再生時の利用者の感情や感情の変化を示すセンシングメタデータをセンシングメタデータ生成部２８が生成する。また、供給される環境センシングメタデータを使用してコンテンツ再生時の利用者の周囲の環境を示すセンシングメタデータをセンシングメタデータ生成部２８が生成する。
【００７８】
具体的には、センシングメタデータ生成部２８は、例えば、人体センシングデータから得られる心拍数の変化、唇の動きや瞬きなどの表情の変化をパターン蓄積部２９に蓄積されているデータと照合して、コンテンツのある区間における利用者の感情（喜び・悲しみ・驚き・怒りなど）を判別する。そして、例えばＸＭＬフォーマットで記述された利用者の感情の変化を示すセンシングメタデータを生成する。ここで、パターン蓄積部２９は、好ましくはＨＤＤなどの不揮発性メモリからなり、人体センシングデータの変化に対応する感情のパターンが蓄積されている。例えば、コンテンツの利用者の心拍数の変化や発汗量の変化、体表温の変化などと、その変化に対応する興奮、緊張、落ち着き等の感情のパターンが蓄積されている。
【００７９】
また、例えば、人体センシングデータから得られる発汗量、心拍数の上昇度、瞳孔径の変化をパターン蓄積部２９に蓄積されているデータと照合して、驚き、緊張などの利用者の感情を判別することができる。そして、判別された利用者の感情を示すセンシングメタデータをセンシングメタデータ生成部２８が生成する。
【００８０】
また、センシングメタデータ生成部２８は、環境センシングデータを使用してコンテンツ再生時における利用者の周囲の環境を示すセンシングメタデータを生成する。例えば、温度、湿度、風量、気圧、天候（晴れ、曇り、雨、雪、嵐等）をＸＭＬフォーマットで記述したセンシングメタデータを生成する。また、コンテンツ再生時の利用者が居る場所に関しては、例えば、緯度、経度情報をセンシングメタデータとしてセンシングメタデータ生成部２８が生成する。
【００８１】
センシングメタデータ生成部２８に対しては、再生制御部１２によって通常再生されるコンテンツを特定するためのコンテンツＩＤが供給される。コンテンツＩＤとしては、例えば、コンテンツのタイトルが使用される。そして、センシングメタデータ生成部２８から記録処理部２２に対して、センシングメタデータ、利用者ＩＤおよびコンテンツＩＤが供給される。
【００８２】
記録処理部２２は、供給されるセンシングメタデータ、利用者ＩＤおよびコンテンツＩＤを記録媒体２３に適するフォーマットへと変換し、変換したセンシングメタデータ等をコンテンツと関連付けて記録媒体２３に記録する処理を行う。記録処理部２２においては、記録媒体２３に応じた記録処理が行われる。
【００８３】
再生処理部２４は、オペレーションメタデータと同様に、記録媒体２３に記録されたセンシングメタデータを再生することができる。例えば、利用者によって入力された利用者ＩＤおよびコンテンツＩＤによって特定されるセンシングメタデータを記録媒体２３から再生する処理を行う。再生処理部２４における再生処理によって記録媒体２３からセンシングメタデータが再生され、再生されたセンシングメタデータが再生制御部１２に対して供給される。
【００８４】
次に、人体センサ３０および環境センサ３１について説明する。人体センサ３０は、例えば、コンテンツの利用者の身体に取り付けられ、様々な人体センシングデータを測定することができる器具である。勿論、人体センシングデータを計時するだけでなく、時計機能等の他の機能が付加されても良い。この第２の実施の形態における人体センサ３０は、記録再生装置６１と無線による通信が可能とされ、測定された人体センシングデータを記録再生装置６１に対して送信することができる。
【００８５】
なお、人体センサ３０は、コンテンツの利用者の身体に取り付けられる器具に限られない。例えば、記録再生装置６１に備えられ、利用者の表情を撮像する撮像装置や利用者の体表温度を測定する赤外線サーモグラフィ等も人体センサ３０に含まれる。
【００８６】
環境測定部の一例である環境センサ３１は、温度計、湿度計、風量計、気圧計、天候を判別するための撮像装置等であり、利用者の身体に取り付けられても良く、記録再生装置６１に取り付けられていても良い。また、環境センサ３１には、場所を示す環境センシングデータを検出するためのＧＰＳ(Global Positioning System)受信端末等も含まれる。したがって、環境センサ３１は、ＧＰＳを利用して利用者がコンテンツを再生している場所を特定することができる。なお、利用者の携帯電話と基地局との間で行われる位置登録のための通信を受信することでコンテンツ再生時の場所を特定するようにしても良い。
【００８７】
次に、センシングメタデータ生成部２８において生成されたセンシングメタデータを記録媒体２３に記録する具体例について説明する。以下、説明する具体例では、コンテンツを、コンテンツ提供部１１から供給され、時間軸上で情報が変化する映像コンテンツとする。また、人体センサ３０は、腕時計の機能と心拍計の機能を有する腕時計型心拍計とされ、人体センシングメタデータの一例として利用者の心拍数を人体センサ３０が測定する。ここで心拍数は、１分間の拍動の数(BPM(Beat per Minute))を意味する。人体センサ３０において測定された心拍数は、人体センサ３０の利用者を示す利用者ＩＤと共に無線による通信によって記録再生装置６１に対して送信される。
【００８８】
また、記録再生装置６１において計時される時刻と、人体センサ３０において計時される時刻は一致するものとされる。例えば、記録再生装置６１および人体センサ３０が標準時刻を示す電波を受信することで、記録再生装置６１において計時される時刻と人体センサ３０において計時される時刻とが一致可能とされる。また、インターネットを介して配信される標準時刻を取得することでも記録再生装置６１および人体センサ３０が計時する時刻を一致させることができる。
【００８９】
コンテンツ提供部１１から映像コンテンツが供給され、再生制御部１２において、供給されたコンテンツに対する通常再生処理が行われる。そして、映像信号処理部１３および音声信号処理部１５において復号処理等が行われ、映像信号出力部１４に映像が再生され、音声信号出力部１６から音声が再生される。コンテンツの再生が行われるとともに、人体センサ３０では心拍数が測定される。
【００９０】
図６は、人体センサ３０において測定される利用者Ａの心拍数の一例を示す。人体センサ３０では、所定の時刻若しくは所定の周期をもって心拍数がサンプリングされる。また、心拍数が測定された時間情報が測定される。この例では、図６に示すように、例えば、２００６年２月３日２０時４７分１０秒において心拍数７２が測定される。他の心拍数も同様に、時間情報と関連付けられて測定される。
【００９１】
人体センサ３０から記録再生装置６１に対して、利用者Ａを特定するための利用者ＩＤ、コンテンツの通常再生時に測定された利用者Ａの心拍数、各心拍数が測定された時間情報（以下、適宜、利用者ＩＤ等と総称する）が送信される。利用者ＩＤとしては、人体センサ３０に付加されているシリアル番号が使用されても良いし、利用者ＩＤが利用者Ａによって入力されても良い。利用者ＩＤ等が記録再生装置６１において受信され、人体センシングデータ処理部２６に供給される。人体センシングデータ処理部２６においては、人体センサ３０から送信された利用者ＩＤ等が電気的な信号へと変換され、変換された利用者ＩＤ等が記録される。そして、記録された利用者ＩＤ等がセンシングメタデータ生成部２８に供給される。
【００９２】
一方、記録再生装置６１は、記録再生装置６１に内蔵されるクロック回路等によって現在時刻を計時することができる。また、再生制御部１２においては、通常再生している映像コンテンツの再生位置情報を取得できる。図７は、記録再生装置６１において計時されている時間情報に対応する映像コンテンツの再生位置の例を示す。例えば、記録再生装置１において計時された２００６年２月３日２０時４７分１０秒では映像コンテンツの再生位置が００時１５分２０秒とされる。
【００９３】
センシングメタデータ生成部２８では、心拍数が測定された時間情報と当該時間情報に対応する再生位置を判別して、映像コンテンツの再生位置と測定された心拍数との対応付けがなされる。例えば、図６および図７を使用して説明したように、時間情報２００６年２月３日２０時４７分１０秒において、人体センサ３０では心拍数７２が測定され、映像コンテンツの再生位置が００時１５分２０秒である。したがって、図８に示すように、映像コンテンツの再生位置が００時１５分２０秒において心拍数が７２であることの対応付けがなされる。測定された他の心拍数についても同様に、映像コンテンツの再生位置との対応付けがなされる。
【００９４】
次に、センシングメタデータ生成部２８は、パターン蓄積部２９に蓄積されている過去のパターンを参照して、心拍数の変化に対応する利用者の感情を抽出する。例えば、パターン蓄積部２９に蓄積されている過去のパターンの中から類似しているパターンを検索する。そして、検索されたパターンに対応する感情を、コンテンツ再生時の利用者の感情として抽出する。
【００９５】
一例を示せば、心拍数が７２から７５への変化に対応する映像コンテンツの再生位置００時１５分２０秒から００時１５分４０秒の区間は、心拍数がやや上昇していることからこの区間の映像コンテンツの再生時に利用者が興奮しているものとされる。また、心拍数が７５から７１への変化に対応する映像コンテンツの再生位置００時１５分４０秒から００時１６分００秒の区間は、心拍数が下降していることから、この区間の映像コンテンツの再生時に利用者が落ち着いてきたものとされる。また、心拍数８２と高くなったときの映像コンテンツの再生位置０１時２０分４０秒においては、利用者が驚いたものとされる。
【００９６】
続いて、センシングメタデータ生成部２８は、映像コンテンツの再生位置や再生区間と、それに対応する利用者の感情を示すセンシングメタデータを生成する。センシングメタデータ生成部２８において生成されたセンシングメタデータが記録処理部２２に対して供給される。また、通常再生されるコンテンツの利用者である利用者Ａを特定するための利用者ＩＤおよび通常再生される映像コンテンツを特定するコンテンツＩＤがセンシングメタデータ生成部２８から記録処理部２２に対して供給される。
【００９７】
記録処理部２２は、供給されたセンシングメタデータ、利用者ＩＤ、コンテンツＩＤを記録媒体２３に適合するフォーマットに変換する。そして、記録処理部２２における記録処理によって、適切なフォーマットへと変換されたセンシングメタデータ、利用者ＩＤ、コンテンツＩＤが記録媒体２３に記録される。
【００９８】
なお、上述した具体例では、心拍数を例とする人体センシングデータを使用してセンシングメタデータを生成する例を説明したが、環境センシングデータを使用してセンシングメタデータを生成することもできる。温度、湿度、風量、天候、場所等を示す環境センシングデータの場合は、必ずしも時系列に測定されていなくても良い。
【００９９】
また、時間軸上で情報が変化しない写真などのコンテンツと環境センシングデータから生成されたメタデータとが記録媒体２３に記録されるようにしても良い。この場合におけるセンシングメタデータを記録する処理においては、必ずしも時間情報は必要とされない。
【０１００】
図９は、この発明の第２の実施の形態におけるセンシングメタデータを記録する処理の流れを示すフローチャートである。なお、図９を使用して説明する処理においては、コンテンツを音楽コンテンツとして説明する。
【０１０１】
ステップＳ３１においては、コンテンツを再生する処理が行われる。すなわち、コンテンツ提供部１１から供給された音楽コンテンツに対して、再生処理部１２において通常再生処理が行われる。再生処理が行われた音楽コンテンツに対して音声信号処理部１５において復号処理等が行われ、音声信号出力部１６から音楽コンテンツが利用者に対して再生される。コンテンツ再生処理が行われると、処理がステップＳ３２に進む。
【０１０２】
ステップＳ３２においては、センシング処理が開始される。すなわち、人体センサ３０および環境センサ３１の少なくとも一方を使用して、コンテンツの再生時における利用者の人体センシングデータおよびコンテンツ再生時における環境センシングデータの少なくとも一方が測定される。測定された人体センシングデータが人体センシングデータ処理部２６に供給される。測定された環境センシングデータが環境センシングデータ処理部２７に供給される。人体センシングデータ処理部２６、環境センシングデータ処理部２７において処理が行われた人体センシングデータおよび環境センシングデータの少なくとも一方がセンシングメタデータ生成部２８に対して供給される。
【０１０３】
なお、このステップＳ３２において行われるセンシング処理を開始するタイミングは、好ましくはコンテンツの再生開始時であるが、コンテンツの再生途中からでも良い。センシング処理が開始されると、処理がステップＳ３３に進む。
【０１０４】
ステップＳ３３では、センシングメタデータ生成部２８においてセンシングメタデータを生成する処理が行われる。センシングメタデータ生成部２８は、人体センシングデータ処理部２６から供給される人体センシングデータおよび環境センシングデータ処理部２７から供給される環境センシングメタデータの少なくとも一方を使用して、センシングメタデータを生成する。センシングメタデータが生成されると、処理がステップＳ３４に進む。
【０１０５】
ステップＳ３４においては、生成されたセンシングメタデータを記録する処理が行われる。ステップＳ３３において生成されたセンシングメタデータが記録処理部２２に対して供給される。また、音楽コンテンツの利用者を特定するための利用者ＩＤ、音楽コンテンツを特定するためのコンテンツＩＤが記録処理部２２に対して供給される。記録処理部２２において、センシングメタデータ、利用者ＩＤ、コンテンツＩＤが記録媒体２３に応じたフォーマットへと変換される。変換されたセンシングメタデータ、利用者ＩＤ、コンテンツＩＤが記録媒体２３に記録される。
【０１０６】
次に、センシングメタデータ等が記録された記録媒体２３を再生する処理について説明する。図１０は、この発明の第２の実施の形態における再生処理の流れを示すフローチャートである。
【０１０７】
ステップＳ４１においては、センシングメタデータ取得処理が行われる。例えば、利用者によって利用者ＩＤおよびコンテンツＩＤが入力され、入力された利用者ＩＤおよびコンテンツＩＤに関する制御信号Ｓ１がシステムコントローラ１９から再生処理部２４に対して供給される。再生処理部２４は、供給された制御信号Ｓ１に応じて、利用者ＩＤおよびコンテンツＩＤによって特定されるセンシングメタデータを記録媒体２３から再生する。再生されたセンシングメタデータが再生制御部１２に対して供給される。次に、処理がステップＳ４２に進む。
【０１０８】
ステップＳ４２においては、コンテンツ取得処理が行われる。利用者によって入力されたコンテンツＩＤに関する制御信号Ｓ１が再生制御部１２に対して供給される。再生制御部１２は、供給された制御信号Ｓ１に応じてコンテンツ提供部１１を制御して、コンテンツ提供部１１から所定のコンテンツを取得する。例えば、コンテンツ配信サーバにアクセスし、コンテンツＩＤにより特定されるコンテンツをダウンロードする。ダウンロードされたコンテンツが再生制御部１２に対して供給される。また、コンテンツ提供部１１が光ディスクの場合は、光ピックアップを所定の位置に移動させ、コンテンツＩＤによって特定されるコンテンツを再生するようになされる。
【０１０９】
なお、コンテンツＩＤによって特定されるコンテンツをコンテンツ提供部１１が提供できない場合は、例えば、映像信号出力部１４にエラーメッセージが表示されたり、音声信号出力部１６から警告音が放音される。次に、処理がステップＳ４３に進む。
【０１１０】
ステップＳ４３においては、コンテンツ再生処理が行われる。ステップＳ４３において再生制御部１２は、通常再生とは異なる再生処理、すなわち、再生処理部２４から供給されるセンシングメタデータに応じた再生態様でもって、コンテンツ提供部１１から供給されるコンテンツを再生する処理を行う。以下、センシングメタデータに応じた再生態様でもってコンテンツを再生する再生例について説明する。
【０１１１】
例えば、コンテンツが映像コンテンツの場合は、センシングメタデータに記述されている再生位置や再生区間における利用者の感情に応じて、輝度レベル、コントラスト、色合いを再生制御部１２が変更する。また、コンテンツが音楽コンテンツの場合は、センシングメタデータに記述されている音楽コンテンツのある区間における利用者の感情に応じて、周波数特性や音量レベルを再生制御部１２が変更したり、エフェクトをかけたりする。また、興奮していたと判別される再生位置に対応するシーンをダイジェスト再生することもでき、利用者の感情の抑揚あるシーンを強調するように再生することもできる。
【０１１２】
再生制御部１２において処理が行われた映像コンテンツが映像信号処理部１３に供給され、音楽コンテンツが音声信号処理部１５に供給される。映像信号処理部１３、音声信号処理部１５において復号処理等が行われ、センシングメタデータに応じた再生態様でもって映像コンテンツが映像信号出力部１４から、音楽コンテンツが音声信号出力部１６から再生される。
【０１１３】
また、環境センシングメタデータが使用されてセンシングメタデータが生成された場合は、再生制御部１２は、センシングメタデータによって指示される周囲の環境を利用者が認識可能にコンテンツを再生する。
【０１１４】
例えば、コンテンツが映像コンテンツの場合は、再生制御部１２において、センシングメタデータから得られる気温、湿度、場所等を示すデータが映像コンテンツと重畳される。そして、データが重畳された映像コンテンツに対して映像信号処理部１３において復号処理等の処理が行われる。復号処理等が行われた映像コンテンツが映像信号出力部１４に再生される。このとき、映像信号出力部１４には、過去の同一の映像コンテンツ再生時の気温、湿度、場所等を示す文字情報が映像コンテンツと共に再生される。これにより、映像コンテンツの利用者は、過去の映像コンテンツ再生時における周囲の環境を認識できる。また、室内の空調設備を自動的に調整して、過去のコンテンツ再生時の温度や湿度などの周囲の環境を再現しても良い。
【０１１５】
また、コンテンツが音楽コンテンツの場合は、再生制御部１２において、例えば、以下の処理が行われる。センシングメタデータによって、過去の音楽コンテンツ再生時の天候が雨や強風と指示されるときは、音楽コンテンツに対して雨や風の音のデータを再生制御部１２が重畳する。雨や風の音のデータが重畳された音楽コンテンツが再生制御部１２から音声信号処理部１５に対して供給される。そして、音声信号処理部１５において音楽コンテンツに対して復号処理等が行われ、処理が行われた音楽コンテンツが音声信号出力部１６から再生される。このとき、利用者は、音楽コンテンツと共に、音楽コンテンツに重畳された雨や風の音を聞くことで、過去の音楽コンテンツ再生時における利用者の周囲の環境を認識できる。過去の音楽コンテンツ再生時における利用者の周囲の環境を認識することで、音楽コンテンツと関連して記憶されている利用者の思い出を想起しうる。
【０１１６】
なお、雨や風の音のデータは、例えば、再生制御部１２がコンテンツ提供部１１を制御して、ネットワークを介して雨や風の音のデータをダウンロードしても良い。ダウンロードされた雨や風の音のデータがコンテンツ提供部１１から再生制御部１２に供給されて、再生制御部１２において、雨や風の音のデータが音楽コンテンツと重畳される。
【０１１７】
また、記録媒体２３に過去の音声コンテンツの再生時における利用者が居た場所を示すセンシングメタデータが記録されている場合は、以下のようにして音楽コンテンツを再生することもできる。コンテンツ提供部１１提供される音楽コンテンツは、再生制御部１２において再生処理を受け、音声信号処理部１５において復号処理等が行われ、音声信号出力部１６から再生される。
【０１１８】
また、音楽コンテンツ再生時における利用者が居た場所を示すセンシングメタデータが再生処理部２４における再生処理により得られ、得られたセンシングデータが再生制御部１２に供給される。再生制御部１２は、コンテンツ提供部１１を制御して、センシングメタデータが示す利用者が居た場所の周囲の風景、例えば、山、川、森、海岸などの写真のデータを取得する。例えば、写真を配信するサーバにアクセスして、当該サーバから様々な風景の写真のデータを取得することができる。取得された写真のデータがコンテンツ提供部１１から再生制御部１２に対して供給される。
【０１１９】
再生制御部１２に供給された写真のデータが映像信号処理部１３に供給され、映像信号処理部１３において復号処理等が行われる。処理が行われた写真のデータが映像信号出力部１４に供給され、映像信号出力部１４には、山、川、森、海岸などの風景が再生される。このように過去の音楽コンテンツ再生時における周囲の風景を利用者に視覚的に認識させて音楽コンテンツを再生することができる。音楽コンテンツの利用者は、映像信号出力部１４に再生される風景を見ながら音楽コンテンツを聴くことで、過去の音楽コンテンツの再生時の周囲の風景を認識できる。したがって、音楽コンテンツと関連して記憶されている利用者の思い出を想起しうる。
【０１２０】
このように、センシングメタデータに応じた再生態様でもってコンテンツを再生することで、利用者は、過去のコンテンツ再生時における利用者の感情の変化を認識できる。また、過去のコンテンツ再生時における利用者の周囲の環境を再現できる。したがって、コンテンツと共に記憶されている思い出を想起できる。
【０１２１】
なお、図９および図１０を使用して説明した処理は、センシングメタデータを記録し、記録されたセンシングメタデータに応じた再生態様でもってコンテンツを再生する記録再生方法として構成することも可能である。
【０１２２】
記録再生装置６１においては、記録媒体２３に一つのコンテンツに関するオペレーションメタデータおよびセンシングメタデータを記録することもできる。例えば、あるコンテンツの通常再生中におけるリモートコントロール装置２５からの操作情報を使用してオペレーションメタデータを生成する。また、コンテンツの通常再生中において検出された人体センシングデータおよび環境センシングデータの少なくとも一方を使用して生成されたセンシングメタデータを生成する。そして、生成されたオペレーションメタデータおよびセンシングメタデータがコンテンツを識別するためのコンテンツＩＤおよび利用者ＩＤと共に記録処理部２２によって記録媒体２３に記録される。
【０１２３】
また、記録媒体２３に記録されたオペレーションメタデータおよびセンシングメタデータが再生処理部２４によって再生され、再生制御部１２に対して供給される。再生制御部１２は、オペレーションメタデータおよびセンシングメタデータに応じてコンテンツを再生できる。例えば、オペレーションメタデータに応じてコンテンツの再生順序が変更され、それぞれのコンテンツの再生態様がセンシングメタデータに応じて変更される。
【０１２４】
以上、この発明の一実施の形態について具体的に説明したが、この発明は、上述した一実施の形態に限定されるものではなく、この発明の技術的思想に基づく各種の変形が可能である。
【０１２５】
上述した第１の実施の形態においては、記録再生装置として説明したが、オペレーションメタデータを記録する記録装置として構成することもできる。また、記録媒体に記録されたオペレーションメタデータに応じた再生態様でもってコンテンツを再生する再生装置として構成することもできる。
【０１２６】
上述した第２の実施の形態においては、記録再生装置として説明したが、オペレーションメタデータおよびセンシングメタデータを記録する記録装置として構成することもできる。また、記録媒体に記録されたオペレーションメタデータおよびセンシングメタデータに応じた再生態様でもってコンテンツを再生する再生装置として構成することもできる。
【０１２７】
再生制御部１２において行われるコンテンツを通常再生する処理と、オペレーションメタデータに応じた再生態様でもってコンテンツを再生する処理とが利用者によって切換可能とされても良い。
【０１２８】
また、コンテンツ提供部１１が追記可能または書き換え可能な光ディスクや半導体メモリである場合は、生成されたオペレーションメタデータやセンシングメタデータをコンテンツ提供部１１に記録することもできる。
【０１２９】
また、記録媒体２３に記録されたオペレーションメタデータやセンシングメタデータを、パーソナルコンピュータなどの情報処理装置を使用して再生できるようにしても良い。同一のコンテンツに対して同じようなオペレーションメタデータやセンシングメタデータが付加された利用者を検索して、コンテンツを介したコミュニティを形成することもできる。また、オペレーションメタデータやセンシングメタデータから利用者の好みの傾向を取得して、他のコンテンツをお薦めするようにしても良い。
【０１３０】
また、上述した記録再生装置１および記録再生装置６１は据え置き型に限らず、携帯型の装置とされても良い。
【０１３１】
また、この発明における装置を構成する各手段を、専用のハードウェア回路によって構成できるし、ソフトウェア若しくはプログラムされたコンピュータによって実現することもできる。また、処理内容を記述したプログラムは、磁気記録装置、光ディスク、光磁気ディスク、半導体メモリ等のコンピュータが読み取り可能な記録媒体に記録しておくことができる。
【図面の簡単な説明】
【０１３２】
【図１】この発明の第１の実施の形態における記録再生装置の構成を示すブロック図である。
【図２】この発明の第１の実施の形態におけるリモートコントロール装置の構成を示す略線図である。
【図３】この発明の第１の実施の形態におけるオペレーションメタデータを記録する処理の流れを示すフローチャートである。
【図４】この発明の第１の実施の形態におけるオペレーションメタデータを使用してコンテンツを再生する処理の流れを示すフローチャートである。
【図５】この発明の第２の実施の形態における記録再生装置の構成を示すブロック図である。
【図６】第２の実施の形態の記録再生装置における人体センサによって検出される心拍数の一例を示す略線図である。
【図７】第２の実施の形態の記録再生装置において計時される時刻とコンテンツの再生位置の対応例を示す略線図である。
【図８】コンテンツの再生位置と対応付けされた心拍数を示す略線図である。
【図９】この発明の第２の実施の形態におけるセンシングメタデータを記録する処理の流れを示すフローチャートである。
【図１０】この発明の第２の実施の形態におけるセンシングメタデータに応じてコンテンツを再生する処理の流れを示すフローチャートである。
【符号の説明】
【０１３３】
１、６１    記録再生装置
１１        コンテンツ提供部
１２        再生制御部
１９        システムコントローラ
２１        オペレーションメタデータ生成部
２２        記録処理部
２３        記録媒体
２４        再生処理部
２５        リモートコントロール装置
２８        センシングメタデータ生成部
３０        人体センサ
３１        環境センサ
【図１】
2007280486.tif 000003
【図２】
2007280486.tif 000004
【図３】
2007280486.tif 000005
【図４】
2007280486.tif 000006
【図５】
2007280486.tif 000007
【図６】
2007280486.tif 000008
【図７】
2007280486.tif 000009
【図８】
2007280486.tif 000010
【図９】
2007280486.tif 000011
【図１０】
2007280486.tif 000012